(57)【要約】【課題】 適切な湿し水の供給を可能とする印刷機の湿水装置を提供する。【解決手段】  水元ローラ5の軸方向に複数並んで配置されて水元ローラ5に当接して水元ローラ5に従動して回転する押しローラ7と、押しローラ7を圧縮エア圧力によって水元ローラ5に当接する側に付勢する圧縮エア供給装置8とを備えている。【選択図】    図１
2016221919.tif 000002
【特許請求の範囲】
【請求項１】
水源側の水元ローラと、印刷部側の水着けローラとを備え、水元ローラから水着けローラに湿し水が転写されるようになされている印刷機の湿水装置において、
水元ローラの軸方向に複数並んで配置されて水元ローラに当接して水元ローラに従動して回転する押しローラと、押しローラを圧縮エアによって水元ローラに当接する側に付勢する圧縮エア供給装置とをさらに備えていることを特徴とする印刷機の湿水装置。
【請求項２】
圧縮エア供給装置は、押しローラを臨む開口を有するエア通路が設けられたハウジングと、エア通路を通過する圧縮エアの流量を調整する流量調整弁とを備えており、ハウジングの先端部に、押しローラを回転可能に保持する凹所が設けられており、押しローラと凹所形成面との間に圧縮エアが通過可能な隙間が存在するように、押しローラの一部が凹所内に位置させられていることを特徴とする請求項１の印刷機の湿水装置。
【発明の詳細な説明】
【技術分野】
【０００１】
この発明は、印刷機の湿水装置（給水装置）に関し、さらに詳しくは、オフセット印刷機において、水タンクなどの水源から印刷部の版胴の版面などに湿し水を供給する印刷機の湿水装置に関する。
【背景技術】
【０００２】
オフセット印刷機では、水源側の水元ローラと、印刷部側の水着けローラとを備え、水元ローラから水着けローラに湿し水が転写されるようになされている湿水装置が使用されている（特許文献１）。
【０００３】
また、オフセット印刷機の湿水装置として、水源側の水元ローラと印刷部側の水着けローラとの間に水移し用分割ローラユニットが配置されており、水移し用分割ローラユニットが上記両ローラの軸方向に分割された複数の水移しローラを備え、各水移しローラが、水元ローラおよび水着けローラに接触する水移し位置と水元ローラおよび水着けローラの少なくとも一方から離れた非水移し位置とに個別に切り換えられるようになされているものも知られている（特許文献２）。
【先行技術文献】
【特許文献】
【０００４】
【特許文献１】特開２００８−１０５１９０号公報
【特許文献２】特開２００５−２６２７８５号公報
【発明の開示】
【発明が解決しようとする課題】
【０００５】
特許文献１に示されている印刷機の湿水装置では、例えばローラの軸方向長さよりも小さい幅の印刷物に印刷する場合、ローラの両端部に湿し水が多く存在することで、印刷物の両端部近傍でインクが乳化を起こし、インキが跳んだり、インキの粘性が無くなるなどの問題があった。また、絵柄面積が左側半部と右側半部で大きく相違しているなどの場合においても、絵柄面積が少ない側で同様の問題があった。
【０００６】
特許文献２に示されている印刷機の湿水装置では、各水移しローラごとに湿し水の量が制御されることで、好ましい湿し水の供給が可能となり、上記問題が解消する。
【０００７】
しかしながら、既存の印刷機の湿水装置では、ローラは、軸方向に分割されておらず、このような軸方向に分割されていないローラを使用する印刷機の湿水装置においても、適切に湿し水を供給することが望まれている。
【０００８】
この発明の目的は、適切な湿し水の供給を可能とする印刷機の湿水装置を提供することにある。
【課題を解決するための手段】
【０００９】
この発明による印刷機の湿水装置は、水源側の水元ローラと、印刷部側の水着けローラとを備え、水元ローラから水着けローラに湿し水が転写されるようになされている印刷機の湿水装置において、水元ローラの軸方向に複数並んで配置されて水元ローラに当接して水元ローラに従動して回転する押しローラと、押しローラを圧縮エアによって水元ローラに当接する側に付勢する圧縮エア供給装置とをさらに備えていることを特徴とするものである。
【００１０】
ここで、水源側の水元ローラは、湿水装置を構成するローラのうち、版胴に当接する水着けローラを除いたローラをいうものとする。水元ローラおよび押しローラは、いずれか一方（例えば水元ローラ）が金属製で、他方（例えば押しローラ）がゴム製であることが好ましい。
【００１１】
各圧縮エア供給装置は、各圧縮エア供給装置ごとに所要の流量が設定された圧縮エアによって各押しローラを水元ローラに当接する側に付勢する。これにより、各押しローラと水元ローラとの間に形成される隙間、すなわち、湿し水の量が印刷物の幅方向の位置に応じて調整される。したがって、圧縮エアの流量を絵柄に応じて調整することで、印刷品質が向上する。
【００１２】
複数並んで配置される押しローラは、絵柄面積に適切に対応するために、互いに隣接するように軸方向に沿って設けられていることが好ましい。押しローラは、例えば、印刷物の両端部で特に起こりやすい湿し水量過多に対応するために、水元ローラの両端部に対応する位置にだけ配置するようにしてもよい。
【００１３】
圧縮エア供給装置は、押しローラを臨む開口を有するエア通路が設けられたハウジングと、エア通路を通過する圧縮エアの流量を調整する流量調整弁とを備えており、ハウジングの先端部に、押しローラを回転可能に保持する凹所が設けられており、押しローラと凹所形成面との間に圧縮エアが通過可能な隙間が存在するように、押しローラの一部が凹所内に位置させられていることが好ましい。
【００１４】
流量調整弁の開閉量が調整されることで、圧縮エアの流量が増減し、圧縮エアの流量を多くすることで、湿し水の量を減少することができ、圧縮エアの流量を少なくすることで、湿し水の量を増大することができる。流量調整弁としては、例えば、弁体が流路の方向と交差する方向に回転するバタフライ弁、ボール弁などの回転弁が使用されるが、回転弁に限られるものではない。流量調整弁は、流路の開閉度合いを電気的に制御可能な電動流量調整弁であることが好ましい。流量調整弁の開閉量は、インキ量を制御するインキ供給装置のデータ、印刷物の送り速度、ローラの回転速度などに基づいて制御することが好ましく、電動流量調整弁とすることで、流量調整弁のこのような制御が容易となる。流量調整弁としてボール弁を使用し、ボール弁の回転軸をサーボモータで制御しながら回転させることで、電動流量調整弁を得ることができる。
【００１５】
ハウジング先端部の凹所による押しローラの保持は、押しローラと凹所形成面との間に圧縮エアが通過可能なわずかな隙間（例えば０．１ｍｍ）をおいての保持とされ、これにより、ハウジング先端部の凹所と押しローラとの間の摩擦は極めて小さいものとなる。
【発明の効果】
【００１６】
この発明の印刷機の湿水装置によれば、上記のように、印刷物の幅方向の位置に応じて湿し水の量を調整することができ、適切な湿し水の供給が可能となる。
【図面の簡単な説明】
【００１７】
【図１】図１は、この発明の１実施形態を示す印刷機の湿水装置の側面図である。
【図２】図２は、図１の一部を切り欠いた平面図である。
【発明を実施するための形態】
【００１８】
以下、図１および図２を参照して、この発明の１実施形態について説明する。以下の説明において、図１の左を前、同右を後というものとする。また、図２の左右を左右というものとする。
【００１９】
図１および図２に示すように、印刷機の湿水装置(1)は、水源である水タンク(4)と、水タンク(4)側の水元ローラ(5)と、印刷部の版胴(2)側の水着けローラ(6)と、水元ローラ(5)の軸方向に複数（図示は８つ）並んで配置された押しローラ(7)と、押しローラ(7)を圧縮エア圧力によって水元ローラに当接する側に付勢する圧縮エア供給装置(8)とを備えている。
【００２０】
図示省略するが、版胴(2)の版面に接触してインキを供給するインキ着けローラが設けられており、インキ壺にあるインキが、インキ元ローラ、インキ呼び出しローラ、複数のインキ練りローラおよびインキ往復ローラなどを介してインキ着けローラに伝えられ、版胴(2)の版面に供給される。印刷部において、インキ装置から版胴(2)の版面に供給されたインキが直接またはゴム胴などの他の胴もしくはローラなどを介して印刷用紙などの被印刷体に転写され、印刷物が得られる。
【００２１】
版胴(2)の版面へのインキの供給とともに、水タンク(4)内の水が、水元ローラ(5)および水着けローラ(6)を介して湿し水として版胴(2)の版面に供給される。湿し水は、印刷物の品質に与える影響が大きいことから、適正に供給されることが課題となっている。
【００２２】
版胴(2)、水元ローラ(5)および水着けローラ(6)は左右方向（水平方向）にのびている。水着けローラ(6)は、版胴(2)の後方に配置されている。水元ローラ(5)は、金属製、水着けローラ(6)および各押しローラ(7)は、ゴム製とされている。
【００２３】
水元ローラ(5)および水着けローラ(6)は、左右両端部において印刷機のフレームに回転自在に支持され、図示しない駆動装置により、互いに同期した所定の回転速度で図１の矢印方向に連続回転させられる。水元ローラ(5)は、下部が水タンク(4)内の水に浸かった状態で常時回転し、水着けローラ(6)は、版胴(2)の版面に接触した状態で常時回転している。各押しローラ(7)は、水元ローラ(5)に従動して回転する。
【００２４】
圧縮エア供給装置(8)は、押しローラ(7)を臨む開口を有するエア通路(12)が設けられたハウジング(11)と、エア通路(12)を通過する圧縮エアの流量を調整する流量調整弁(13)と、流量調整弁(13)の弁体(14)を移動させる駆動装置(15)とを備えている。
【００２５】
ハウジング(11)は、水元ローラ(5)の軸方向に対して直交する方向に伸びる軸線を有しており、エア通路(12)は、ハウジング(11)の軸線と同心の直線状とされている。エア通路(12)の押しローラ(7)を臨む開口端部に、圧縮エアが拡がって押しローラに吹き付けられるようにする拡径部(12a)が設けられている。
【００２６】
ハウジング(11)の基端部には、エア通路(12)に直交する方向に伸びて全てのハウジング(11)のエア通路(12)をまとめて圧縮エア供給源（図示略）に接続する連結管(16)が設けられている。
【００２７】
ハウジング(11)の先端部に、他の部分よりも径が大きい拡径部(21)が設けられており、拡径部(21)に、押しローラ(7)を回転可能に保持する凹所(22)が設けられている。凹所(22)を形成する面(22a)は、略半円筒状の面とされている。
【００２８】
押しローラ(7)と凹所形成面(22a)との間に圧縮エアが通過可能な隙間が存在するように、押しローラ(7)の略半部が凹所(22)内に位置させられている。なお、隙間は、０．１ｍｍ程度のわずかな大きさであるが、図では、誇張して描かれている。
【００２９】
エア通路(12)から出た圧縮エアは、拡径部(12a)において、押しローラ(7)を水元ローラ(5)に当接する方向に押圧し、押しローラ(7)と凹所形成面(22a)との間の隙間から排出される。押しローラ(7)は、押しローラ(7)に当たる圧縮エアの圧力と押しローラ(7)における受圧面積との積に応じた力を受けて、水元ローラに当接する側に付勢される。エア通路(12)から出る圧縮エアは、その流量が流量調整弁(13)の開閉量によって変更され、流量調整弁(13)の開度が小さくなれば、流量が減って圧力が下がり、逆に、流量調整弁(13)の開度が大きくなれば、流量が増して圧力が上がる。
【００３０】
流量調整弁(13)の開閉量は、駆動装置(15)の制御部によって制御される。駆動装置(15)の制御部は、インキ量を制御するインキ供給装置のデータ、印刷物の送り速度、各ローラ(5)(6)の回転速度などに基づいて、流量調整弁(13)の開閉量を制御する。
【００３１】
流量調整弁(13)は、弁体(14)が移動することでエア通路(12)の開度を変更するもので、図では模式的に示しているが、例えば、流量調整弁(13)をボール弁として、その弁体の回転を例えば駆動装置(15)としてのサーボモータによって行うことで、印刷物の幅方向の位置に応じて湿し水の調整ができる。
【００３２】
こうして、流量調整弁(13)を調整して、各押しローラ(7)の押し付け量を絵柄面積に応じて調整することで、適切な湿し水の供給が可能となり、印刷品質が向上する。
【００３３】
上記湿水装置(1)が使用される印刷機のインキ供給装置は、例えば、インキ壺を構成するインキ壺ローラに近接して、インキ壺ローラの長さ方向に分割された複数のインキ呼び出しローラが配置され、各インキ呼び出しローラが、インキ壺ローラに接触する呼び出し位置とインキ壺ローラから離れてインキ練りローラに接触する非呼び出し位置とに個別に切り換えられるようになされ、所定の間隔をおいた呼び出しタイミングごとに、所要のインキ呼び出しローラの位置を切り換えてインキを呼び出し、インキ呼び出しローラごとに、インキ壺ローラに接触してから離れるまでのインキ壺ローラの回転角度を制御することにより、インキ壺ローラからインキ呼び出しローラに呼び出すインキの周長（１回転における接触長）を制御するようになされているものとされる。
【００３４】
このようなインキ供給装置によると、印刷物の絵柄により幅方向の位置によって最適なインキ量が異なることに応じて、インキ呼び出しローラごとにインキ量が制御され、これにより、インキ量の制御の精度が向上する。
【００３５】
上記の印刷機の湿水装置(1)によると、水着けローラ(6)から版胴(2)の版面に供給される湿し水の量が個別に圧縮エア供給装置(8)によって調整される。このため、印刷物の幅や絵柄面積に応じて印刷物の幅方向における湿し水の量を調整することができる。したがって、印刷物の幅方向におけるインキ量制御に対応して、印刷物の幅方向に対応する水着けローラ(6)の軸方向位置における湿し水の量が調整され、好ましいインキ量の供給に応じた好ましい湿し水の供給が可能となる。これにより、印刷物の幅方向の位置によって部分的に湿し水の量を調整することができ、印刷物の両端部または絵柄面積の分布が左右で大きく異なる場合などで特に起こりやすい品質の劣化を防止することができる。
【００３６】
なお、上記において、押しローラ(7)は、水元ローラ(5)に設けられているが、水元ローラ(5)と水着けローラ(6)との間に中間ローラを配置して、この中間ローラに押しローラ(7)および圧縮エア供給装置(8)を設けることもできる。
【符号の説明】
【００３７】
(1)：湿水装置、(5)：水元ローラ（水源側のローラ）、(6)：水着けローラ（印刷部側のローラ）、(7)：押しローラ、(8)：圧縮エア供給装置、(11)：ハウジング、(12)：エア通路、(22)：凹所
【図１】
2016221919.tif 000003
【図２】
2016221919.tif 000004